(57)【要約】      （修正有）【課題】ホース巻き取り作業での消防隊員等の作業員の肉体的な負担を軽減するとともに、簡易な装置にすることで消防車両に積載し易くなって火災現場でも容易に使用でき、消防隊員等の作業員の負担を大幅に軽減させることができるホース巻取り具を提供する。【解決手段】扁平状になるホースを巻き取る際に用いるホース巻取り具１であって、回転軸となる棒材２と、棒材に設けられ、作業員が鉛直姿勢に保持した棒材を軸心φ回りに回転操作させる回転操作部２ａと、棒材の下部に設けられ、扁平状のホースの一部を係止するホース係止部２ｂと、を備えている。【選択図】図１
0003231295.tif 000002
【実用新案登録請求の範囲】
【請求項１】
扁平状になるホースを巻き取る際に用いるホース巻取り具であって、
回転軸となる棒材と、
前記棒材に設けられ、作業員が鉛直姿勢に保持した前記棒材を軸心回りに回転操作させる回転操作部と、
前記棒材の下部に設けられ、扁平状のホースの一部を係止するホース係止部と、
を備えていることを特徴とするホース巻取り具。
【請求項２】
前記回転操作部は、前記棒材の上端部寄りの位置に設けられており、前記棒材の軸心からずれた位置にあって前記棒材と平行な操作軸と、前記操作軸の上端と前記棒材とを連結する上側の柄と、前記操作軸の下端と前記棒材とを連結する下側の柄と、を備えたコ字状のクランク部としたことを特徴とする請求項１に記載のホース巻取り具。
【請求項３】
前記回転操作部は、前記棒材の上端に設けられており、前記棒材の軸心からずれた位置にあって前記棒材と平行な操作軸と、前記操作軸の下端と前記棒材の上端とを連結する柄と、を備えたＬ字状のクランク部としたことを特徴とする請求項１に記載のホース巻取り具。
【請求項４】
前記ホース係止部は、前記棒材の下端部に設けられ、一部分が前記棒材と平行になる逆Ｌ字状の突起部としたことを特徴とする請求項１に記載のホース巻取り具。
【請求項５】
前記棒材の下端部を、凸状の円錐形状又は凹状の円錐形状に形成したことを特徴とする請求項１〜４の何れかに記載のホース巻取り具。
【請求項６】
前記棒材の下端部を、凸状の半球面形状又は凹状の半球面形状に形成したことを特徴とする請求項１〜４の何れかに記載のホース巻取り具。
【請求項７】
作業員が鉛直姿勢に保持した前記棒材の回転操作部の高さ位置は、起立姿勢の作業員が一方の手で前記棒材を鉛直姿勢に保持した状態で他方の手で前記回転操作部を回転操作することができる高さに設定されていることを特徴とする請求項１〜３の何れかに記載のホース巻取り具。
【請求項８】
前記ホース巻取り具が、前記棒材の下端部が嵌り込む受け部を形成した受け具を更に備えることを特徴とする請求項１〜７の何れかに記載のホース巻取り具。
【考案の詳細な説明】
【技術分野】
【０００１】
本考案は、例えば消防用ホース等の扁平になるホースを人力で容易に巻き取るホース巻取り具に関する。
【背景技術】
【０００２】
通常、消防隊員が使用する消防用のホースは、扁平にして２重巻きの状態で保管されている。２重巻きとは、ホースを長手方向中央あたりで折り曲げ、この折り曲げた部分を芯にしてホースをロール状に巻き取る方法であり、ホースを使用する場所が平坦な場所や下り坂であれば、ホースを伸展する際にホースの端部（結合金具部分）を持って、巻き取ったホース全体を転がすようにして延ばすことができる。
【０００３】
従来、消防隊員が使用するホースは、主に１本の長さが２０ｍのものを使用しており、使用時に素早く且つ容易に伸展できるように２重巻きで保管することが多い。
【０００４】
但し、ホースを容易に伸展させるためには、ホースを巻き取る際にゆるみがなく、ホース同士に隙間がないようにしておかなければ、伸展する際にホースが途中で止まったり、ばらけたりして、迅速な消火作業の妨げになる。
【０００５】
消火活動後は使用したホースを回収して持ち帰るが、この時の巻き取り作業では、防火服を着用した状態で行われるため、消防隊員には非常に重労働となっている。
【０００６】
ホースを巻き取る作業には、専用の巻取り機を使用することもあるが、火災現場において使用するには、巻取り機を消防自動車に搭載しておかなければならず、車載スペースを割く必要があり、大型のものは積載することは難しい。
【０００７】
また、人力でホースの巻き取り作業を行うには、先述した防火服を着用した状態で、中腰になりながら素早くホースを巻き取らなければならず、消火活動後の疲弊した状況では消防隊員への負荷が更に加わることになる。
【０００８】
現在広く使われている巻取り機は、回転可能な横軸にハンドルを取付け、ホースを折り曲げた部分に軸を通し、ホースリールに巻き取った後に、ホースリールからホースを取り外すものである。
【０００９】
しかし、前記巻取り機は、ハンドルが低い位置にあるため、操作をするには消防隊員が中腰の姿勢になることから、身体への負担も大きく、多数のホースを巻き取るのは消防隊員にとって大きな負担となっている。
【００１０】
また、巻き取りが進むにつれて、軸に加わる荷重が増大するため、軸の位置が高い場合は、より堅固に固定しなければならないとともに、軸を支える架台も荷重に十分に耐えるものでなければならない。そのため、使用する部材も強度の大きなものになり、全体の重量も重くなって容易に持ち運ぶことが困難になる。
【００１１】
このように、前記巻取り機は、上述したような問題があるので、消防用ホースの巻き取り作業の簡略化を実現するために、様々な考案が成されている（例えば、特許文献１〜特許文献３参照）。
【００１２】
特許文献１では、支持軸を板面に垂直に設け、支持軸に消防用ホースの一部を沿わせるとともに、この沿わせた部分の近傍にハンドルの軸部を差し込み、ハンドルを回すことで支持軸の周囲に消防用ホースを巻き取るようにしているが、支持軸とハンドルが分離しているため、ハンドルを回すためには実施例にある回転板を設けなければ、回転の中心が定まり難いという問題がある。
【００１３】
また、巻き取り操作の際に支持軸を設けた板面が地上にある場合には、消防隊員は屈んだ姿勢で消防用ホースの巻き取り作業を行わなければならず、身体への負担が大きくなる。
【００１４】
特許文献２では、上記と同様に基板上に支持軸を設け、支持軸に差し込んだハンドルを回すことで消防用ホースを巻き取るようになっており、更に作業を容易にするため、ハンドルに設けた嵌合部を支持軸に嵌合している。
【００１５】
しかしながら、ハンドルの回転軸となる嵌合部と離れた個所にある２本のロッドの間に消防用ホースを通して巻き取るため、消防用ホースの巻きの中心部には一定の隙間できるため、巻き取り後に消防用ホースに緩みが生じることになる。
【００１６】
特許文献３では、ハンドルのアームに設けた挟着杆に平行して固着した軸杆を、台板上に設けた挿通孔に挿入し、挟着杆に折り曲げたホースの中央部を通した後、ハンドルを回転させてホースを巻き取るものである。
【００１７】
しかしながら、挿通孔を設けた背の低い台板上で操作をするため、消防隊員は屈んだ姿勢で消防用ホースの巻き取り作業を行わなければならず、身体への負担が大きくなる。
【先行技術文献】
【特許文献】
【００１８】
【特許文献１】特公昭６２−２８０６７号公報
【特許文献２】実公昭６１−３９４８７号公報
【特許文献３】実用新案登録第２５９０４８９号公報
【考案の概要】
【考案が解決しようとする課題】
【００１９】
本考案は、上記課題を解決するために為されたものであり、ホース巻き取り作業での消防隊員等の作業員の肉体的な負担を軽減するとともに、簡易な装置にすることで消防車両に積載し易くなって火災現場でも容易に使用でき、消防隊員等の作業員の負担を大幅に軽減させることができるホース巻取り具を提供することをその主たる目的とする。
【課題を解決するための手段】
【００２０】
上記目的を達成するため、本考案は、扁平状になるホースを巻き取る際に用いるホース巻取り具であって、回転軸となる棒材と、前記棒材に設けられ、作業員が鉛直姿勢に保持した前記棒材を軸心回りに回転操作させる回転操作部と、前記棒材の下部に設けられ、扁平状のホースの一部を係止するホース係止部と、を備えていることを特徴とする。
【００２１】
前記回転操作部は、前記棒材の上端部寄りの位置に設けられており、前記棒材の軸心からずれた位置にあって前記棒材と平行な操作軸と、前記操作軸の上端と前記棒材とを連結する上側の柄と、前記操作軸の下端と前記棒材とを連結する下側の柄と、を備えたコ字状のクランク部とすることが好ましい。
【００２２】
前記回転操作部は、前記棒材の上端に設けられており、前記棒材の軸心からずれた位置にあって前記棒材と平行な操作軸と、前記操作軸の下端と前記棒材の上端とを連結する柄と、を備えたＬ字状のクランク部とすることが好ましい。
【００２３】
前記ホース係止部は、前記棒材の下端部に設けられ、一部分が前記棒材と平行になる逆Ｌ字状の突起部とすることが好ましい。
【００２４】
前記棒材の下端部は、凸状の円錐形状又は凹状の円錐形状に形成することが好ましい。
【００２５】
前記棒材の下端部は、凸状の半球面形状又は凹状の半球面形状に形成することが好ましい。
【００２６】
作業員が鉛直姿勢に保持した前記棒材の回転操作部の高さ位置は、起立姿勢の作業員が一方の手で前記棒材を鉛直姿勢に保持した状態で他方の手で前記回転操作部を回転操作することができる高さに設定することが好ましい。
【００２７】
前記ホース巻取り具は、前記棒材の下端部が嵌り込む受け部を形成した受け具を更に備えることが好ましい。
【考案の効果】
【００２８】
本考案によれば、ホース巻取り具を棒状の形態とし、消防自動車に積載できる簡易な構造としているため、架台を必要とする通常の横軸式の巻取り機のように大きな収納スペースを必要とするということもなく、火災現場に携帯することができる。
【００２９】
また、本発明によれば、ホース巻取り具を形成する棒材の下端部を円錐形状に形成した場合には、ホース巻取り具の下端部が接する地面がアスファルトや土であれば、ホース巻取り具の軸受けが不要となり、ホース巻取り具を一定の位置に保持する作業は必要なくなる。
【００３０】
更に、本発明によれば、鉛直姿勢に保持したホース巻取り具の回転操作部の高さ位置を、起立姿勢の作業員、例えば、起立姿勢の消防隊員が片方の手で回転操作できる高さに設定しているため、消防隊員が屈まずに立ったままの姿勢で作業をすることができ、防火服を着用した状態の撤収作業での肉体的な負担を軽減することができる。また、立ったままの姿勢で作業することができるため、ロール状に巻き取ったホースの側面の凹凸を揃える際に、足で踏み固めることができる。また、立ったままの姿勢で作業することができるため、ホース巻取り具を使用する所がコンクリートや石等の堅い所であれば、軸受けとなる受け具を取り付けた鉄板等の板材を使用し、消防隊員が板材に乗って作業することで受け具の固定ができ、一人でホースの巻き取り作業を行える。
【００３１】
更に、本発明によれば、回転軸となる棒材と回転操作部の操作軸との距離を大きく取ることができるため、ホースを巻き取る際に、ホースが緩まないように増し締め作業ができる。
【図面の簡単な説明】
【００３２】
【図１】本発明に係るホース巻取り具の第１実施形態を示し、（Ａ）はホース巻取り具の正面図、（Ｂ）はホース巻取り具の側面図、（Ｃ）はホース巻取り具の底面図である。
【図２】図１に示すホース巻取り具の要部の拡大正面図である。
【図３】図１に示すホース巻取り具のホース係止部にホースの一部分を係止させた状態のホース巻取り具の要部の拡大斜視図である。
【図４】図１に示すホース巻取り具の使用状態を示し、ホースを２重に巻き取っていく状態の斜視図である。
【図５】図４に示すホース巻取り具の要部の拡大斜視図である。
【図６】本発明に係るホース巻取り具の第２実施形態を示し、棒材の一部分を省略したホース巻取り具の拡大正面図である。
【図７】本発明に係るホース巻取り具の第３実施形態を示し、棒材の一部分を省略して棒材の先端部を破断したホース巻取り具の拡大正面図である。
【図８】本発明に係るホース巻取り具の第４実施形態を示し、棒材の一部分を省略して棒材の先端部を破断したホース巻取り具の拡大正面図である。
【図９】本発明に係るホース巻取り具の第５実施形態を示し、棒材の一部分を省略して受け具の一部分を破断したホース巻取り具の拡大正面図である。
【図１０】図９に示すホース巻取り具の要部の拡大斜視図である。
【図１１】本発明に係るホース巻取り具の第６実施形態を示し、棒材の一部分を省略して受け具の一部分を破断したホース巻取り具の拡大正面図である。
【図１２】図１１に示すホース巻取り具の要部の拡大斜視図である。
【図１３】本発明に係るホース巻取り具の第７実施形態を示す要部の一部破断正面図である。
【図１４】本発明に係るホース巻取り具の第８実施形態を示す要部の一部破断正面図である。
【図１５】本発明に係るホース巻取り具の第９実施形態を示し、棒材の一部分を省略して受け具の一部分を破断したホース巻取り具の拡大正面図である。
【図１６】本発明に係るホース巻取り具の第１０実施形態を示し、回転操作部をＬ字状のクランク部としたホース巻取り具の正面図である。
【考案を実施するための形態】
【００３３】
以下、本発明の実施形態を図面に基づいて詳細に説明する。尚、本発明は、以下の実施形態に限定されるものではない。
【００３４】
図１〜図５は本発明の第１実施形態に係るホース巻取り具１を示し、当該ホース巻取り具１は、回転軸となる棒材２と、棒材２の上端部寄りの位置に設けられ、消防隊員等の作業員が鉛直姿勢に保持した棒材２を軸心φ回りに回転操作させる回転操作部２ａと、棒材２の下部に設けられ、扁平状のホース３の一部を係止するホース係止部２ｂと、を備えている。
【００３５】
回転軸となる棒材２は、横断面形状が円形の金属製の中実の棒状部材により形成されており、棒材２の上端部寄りの位置には、棒材２を軸心φ回りに回転操作する回転操作部２ａが設けられている。
【００３６】
回転操作部２ａは、棒材２の上端部寄りの位置をコ字状に折り曲げることにより形成されており、棒材２の軸心φからずれた位置にあって棒材２と平行な操作軸２ａ１と、操作軸２ａ１の上端と棒材２とを連結する上側の柄２ａ２と、操作軸２ａ１の下端と棒材２とを連結する下側の柄２ａ３と、を備えたコ字状のクランク部となっている。
【００３７】
棒材２の下部に設けたホース係止部２ｂは、逆Ｌ字状に折り曲げた横断面形状が円形の金属製の棒状部材からなり、逆Ｌ字状の棒状部材をその一部分が棒材２と平行になるように棒材２の下部外周面に溶接等で固着することにより形成されている。このホース係止部２ｂの長さは、扁平状のホース３の幅と同じ程度の長さ又はホース３の幅より少し長めに設定されている。また、ホース係止部２ｂと棒材２の下部外周面との間隔は、ホース係止部２ｂと棒材２との間に扁平状のホース３を挿入できるように設定されている。
【００３８】
棒材２の下端部２ｃは、図２に示すように、下方へ突出する凸状の円錐形状に形成されており、アスファルトの地面や土の地面等のように比較的柔らかい地面に突き刺さって位置決めされるようになっている。凸状の円錐形状に形成された棒材２の下端部２ｃの先端は、ホース係止部２ｂの先端よりも下方へ突出するようになっている。
【００３９】
そして、作業員が鉛直姿勢に保持した棒材２の回転操作部２ａの高さ位置は、起立姿勢の作業員が一方の手で棒材２を鉛直姿勢に保持した状態で他方の手で回転操作部２ａを回転操作することができる高さに設定されている。
【００４０】
次に、上述したホース巻取り具１を用いて消防隊員等の作業員が消防用ホース等の扁平になるホース３を２重に巻き取る場合について説明する。
【００４１】
先ず、作業員は、アスファルトや土の地面に置いたホース３の中間部をホース巻取り具１の棒材２の下部外周面と逆Ｌ字状のホース係止部２ｂとの間に挿入し、ホース巻取り具１を地面に鉛直姿勢で立てる。このとき、凸状の円錐形状に形成した棒材２の下端部２ｃは、地面が柔らかいと、地面に突き刺さり、一定の位置で位置決めされた状態となる。
【００４２】
次に、作業員は、一方の手で棒材２の上端部を保持すると共に、他方の手で回転操作部２ａの操作軸２ａ１を掴み、この状態で回転操作部２ａを同じ方向へ回転操作し、凸状の円錐形状を支点にして棒材２を軸心φ回りに回転させる。
【００４３】
そうすると、図４及び図５に示すように、棒材２の下部と逆Ｌ字状のホース係止部２ｂにホース３が２重に巻き取られて行く。
【００４４】
ホース３全体が２重に巻き取られたら、ホース３が緩まないように棒材２を軸心φ回りに更に回転させ、増し締め作業を行う。
【００４５】
増し締め作業が終了したら、棒材２の下端部２ｃと逆Ｌ字状のホース係止部２ｂをロール状に巻き取られたホース３から引き抜き、ホース３を所定の場所に収納する。
【００４６】
上述したホース巻取り具１は、棒状の形態を呈し、消防自動車に積載できる簡易な構造となっているため、大きな収納スペースを必要とするということがなく、火災現場に携帯することができる。
【００４７】
また、ホース巻取り具１は、棒材２の下端部２ｃを凸状の円錐形状に形成しているため、地面がアスファルトや土であれば、ホース巻取り具１の軸受けが不要となり、ホース巻取り具１を一定の地点に保持する作業は必要なくなる。
【００４８】
更に、ホース巻取り具１は、回転操作部２ａの高さ位置を、起立姿勢の作業員が片方の手で回転操作できる高さに設定しているため、作業員が屈まずに立ったままの姿勢で作業をすることができ、作業員の肉体的な負担を軽減することができる。また、立ったままの姿勢で作業することができるため、ロール状に巻き取ったホース３の側面の凹凸を揃える際に、足で踏み固めることができる。
【００４９】
更に、ホース巻取り具１は、棒材２と回転操作部２ａの操作軸２ａ１との距離を大きく取ることができるため、ホース３を巻き取る際に、ホース３が緩まないように増し締め作業ができる。これに対して、特許文献１〜３のホース巻取り具１では、巻き取った後でハンドルを更に巻いて締めこむことは容易ではなく、緩まないように巻くためには常にホース３を引張りながらテンションをかけて巻き取らねばならないため、結構な労力が必要となる。
【００５０】
図６は本発明に係るホース巻取り具１の第２実施形態を示し、第２実施形態のホース巻取り具１は、棒材２の下端部２ｃを凸状の半球面形状に形成しており、その他の形状及び構造は、第１実施形態のホース巻取り具１と同じである。尚、第１実施形態のホース巻取り具１と同じ部位・部材には、同一の参照番号を付し、詳細な説明を省略する。
【００５１】
第２実施形態のホース巻取り具１は、第１実施形態のホース巻取り具１と同様の作用効果を奏することができる。
【００５２】
図７は本発明に係るホース巻取り具１の第３実施形態を示し、第３実施形態のホース巻取り具１は、棒材２の下端部２ｃを凹状の円錐形状に形成しており、その他の形状及び構造は、第１実施形態のホース巻取り具１と同じである。尚、第１実施形態のホース巻取り具１と同じ部位・部材には、同一の参照番号を付し、詳細な説明を省略する。
【００５３】
第３実施形態のホース巻取り具１は、第１実施形態のホース巻取り具１と同様の作用効果を奏することができる。
【００５４】
図８は本発明に係るホース巻取り具１の第４実施形態を示し、第４実施形態のホース巻取り具１は、棒材２の下端部２ｃを凹状の半球面形状に形成しており、その他の形状及び構造は、第１実施形態のホース巻取り具１と同じである。尚、第１実施形態のホース巻取り具１と同じ部位・部材には、同一の参照番号を付し、詳細な説明を省略する。
【００５５】
第４実施形態のホース巻取り具１は、第１実施形態のホース巻取り具１と同様の作用効果を奏することができる。
【００５６】
図９及び図１０は本発明に係るホース巻取り具１の第５実施形態を示し、第５実施形態のホース巻取り具１は、棒材２の下端部２ｃが嵌り込む受け部４ａを形成した受け具４を更に備える。尚、第１実施形態のホース巻取り具１と同じ部位・部材には、同一の参照番号を付し、詳細な説明を省略する。
【００５７】
第５実施形態のホース巻取り具１では、棒材２の下端部２ｃは、凸状の円錐形状に形成されている。また、受け具４は、金属製部材により厚肉の円盤状に形成されており、受け具４の上面中央部には、棒材２の凸状の円錐形状に形成した下端部２ｃが嵌まり込む凹状の円錐形状の受け部４ａが形成されている。この受け具４は、消防隊員等の作業員が携帯するのに支障を来さない大きさに形成されており、本実施形態では、受け具４の直径は、棒材２の直径の約２倍に設定されている。
【００５８】
更に、棒材２の凸状の円錐形状に形成した下端部２ｃの頂角は、受け具４の凹状の円錐形状に形成した受け部４ａの頂角よりも小さめに設定されている。そのため、棒材２の凸状の円錐形状に形成した下端部２ｃを受け具４の凹状の円錐形状の受け部４ａに嵌め込むと、棒材２は、点接触状態で受け具４に支持されることになり、棒材２を軸心φ回りに回転させたときに回転抵抗が小さくなって回転させ易くなる。
【００５９】
第５実施形態のホース巻取り具１は、第１実施形態のホース巻取り具１と同様の作用効果を奏することができる。また、第５実施形態のホース巻取り具１は、地面や床面が硬くて棒材２の下端部２ｃが地面や床面に突き刺さらないような場合に、受け具４を地面や床面に置き、棒材２の下端部２ｃを受け具４で支持することによって、棒材２が位置決めされることになり、棒材２の回転中に棒材２が移動したするということがなく、ホース３の巻き取り作業を円滑且つスムースに行える。
【００６０】
図１１及び図１２は本発明に係るホース巻取り具１の第６実施形態を示し、第６実施形態のホース巻取り具１は、棒材２の下端部２ｃが嵌り込む受け部４ａを形成した受け具４を更に備える。尚、第１実施形態のホース巻取り具１と同じ部位・部材には、同一の参照番号を付し、詳細な説明を省略する。
【００６１】
第６実施形態のホース巻取り具１では、棒材２の下端部２ｃは、凸状の半球面形状に形成されている。また、受け具４は、金属製部材により厚肉の円盤状に形成されており、受け具４の上面中央部には、棒材２の凸状の半球面形状に形成した下端部２ｃが嵌まり込む凹状の半球面形状の受け部４ａが形成されている。この受け具４は、消防隊員等の作業員が携帯するのに支障を来さない大きさに形成されており、本実施形態では、受け具４の直径は、棒材２の直径の約２倍に設定されている。
【００６２】
更に、棒材２の凸状の半球面形状に形成した下端部２ｃの曲率は、受け具４の凹状の半球面形状に形成した受け部４ａの曲率よりも大きめに設定されている。そのため、棒材２の凸状の半球面形状に形成した下端部２ｃを受け具４の凹状の半球面形状の受け部４ａに嵌め込むと、棒材２は、点接触状態で受け具４に支持されることになり、棒材２を軸心φ回りに回転させたときに回転抵抗が小さくなって回転させ易くなる。
【００６３】
第６実施形態のホース巻取り具１は、第５実施形態のホース巻取り具１と同様の作用効果を奏することができる。
【００６４】
図１３は本発明に係るホース巻取り具１の第７実施形態を示し、第７実施形態のホース巻取り具１は、棒材２の下端部２ｃを凹状の円錐形状に形成し、また、受け具４の受け部４ａを凸状の円錐形状に形成したものであり、その他の形状及び構造は、第５実施形態のホース巻取り具１と同じである。尚、第５実施形態のホース巻取り具１と同じ部位・部材には、同一の参照番号を付し、詳細な説明を省略する。
【００６５】
第７実施形態のホース巻取り具１は、第５実施形態のホース巻取り具１と同様の作用効果を奏することができる。
【００６６】
図１４は本発明に係るホース巻取り具１の第８実施形態を示し、第８実施形態のホース巻取り具１は、棒材２の下端部２ｃを凹状の半球面形状に形成し、また、受け具４の受け部４ａを凸状の半球面形状に形成したものであり、その他の形状及び構造は、第５実施形態のホース巻取り具１と同じである。尚、第５実施形態のホース巻取り具１と同じ部位・部材には、同一の参照番号を付し、詳細な説明を省略する。
【００６７】
第８実施形態のホース巻取り具１は、第５実施形態のホース巻取り具１と同様の作用効果を奏することができる。
【００６８】
図１５は本発明に係るホース巻取り具１の第９実施形態を示し、第９実施形態のホース巻取り具１は、受け具４が固定される鉄板等の矩形状の板材５を更に備えている。尚、第９実施形態のホース巻取り具１は、新たに板材５を備えたこと以外は、第５実施形態のホース巻取り具１と同じであり、第５実施形態のホース巻取り具１と同じ部位・部材には、同一の参照番号を付し、詳細な説明を省略する。
【００６９】
受け具４は、その受け部４ａが上を向く姿勢で板材５の中央部に溶接等により固定されている。また、板材５の大きさは、リール状に巻き取ったホース３の直径よりも大きめに形成されており、リール状に巻き取ったホース３の周囲からはみ出した板材５の一部を消防隊員等の作業員が足で踏んで板材５及び受け具４を地面や床面に固定できるようになっている。
【００７０】
第９実施形態のホース巻取り具１は、第５実施形態のホース巻取り具１と同様の作用効果を奏することができる。また、第９実施形態のホース巻取り具１は、受け具４を固定した鉄板等の板材５を使用し、消防隊員等の作業員が板材５に乗って作業することで受け具４の固定ができ、一人で巻き取り作業を行える。
【００７１】
図１６は本発明に係るホース巻取り具１の第１０実施形態を示し、第１０実施形態のホース巻取り具１は、回転操作部２ａをＬ字状のクランク部としたものである。即ち、前記回転操作部２ａは、棒材２の軸心φからずれた位置にあって棒材２と平行な操作軸２ａ１と、操作軸２ａ１の下端と棒材２とを連結する柄２ａ４と、を備えたＬ字状のクランク部に形成されている。尚、第１０実施形態のホース巻取り具１は、回転操作部２ａの形状を変えたこと以外は、第１実施形態のホース巻取り具１と略同じであり、第１実施形態のホース巻取り具１と同じ部位・部材には、同一の参照番号を付し、詳細な説明を省略する。
【００７２】
第１０実施形態のホース巻取り具１は、起立姿勢の作業員が一方の手で鉛直姿勢の棒材２の上端部（棒材２の柄２ａ４の近傍位置にある部分）を保持すると共に、他方の手で回転操作部２ａの操作軸２ａ１を掴み、この状態で回転操作部２ａを同じ方向へ回転操作し、棒材２の下端部２ｃを支点にして棒材２を軸心φ回りに回転させることによって、ホース３の巻き取り作業を行える。
【００７３】
第１０実施形態のホース巻取り具１は、第１実施形態のホース巻取り具１と同様の作用効果を奏することができる。
【００７４】
尚、第１０実施形態のホース巻取り具１は、棒材２の下端部２ｃを図６に示す凸状の半球面形状、図７に凹状の円錐形状又は図８に示す凹状の半球面形状としても良い。また、図９、図１１、図１３、図１４に示す受け具４や図１５に示す板材５を更に備えても良い。
【００７５】
本発明に係るホース巻取り具１は、上記各実施形態に限定されず、本発明の趣旨を逸脱しない範囲において、種々の変更が可能である。
【００７６】
例えば、上記各実施形態では、棒材２、受け具４及び板材５を金属材により形成したが、他の実施形態では、棒材２、受け具４及び板材５を硬質の合成樹脂材により形成しても良い。また、棒材２を中実の金属棒により形成したが、棒材２の下端部２ｃを除く部分を中空の金属材により形成し、軽量化を図るようにしても良い。また、回転操作部２ａは、棒材２の一部分をコ字状又はＬ字状に折り曲げることにより形成したが、回転操作部２ａを別体に形成し、後で棒材２に固着するするようにしても良い。また、回転操作部２ａの形状もコ字状又はＬ字状に限定されるものではなく、棒材２を軸心φ回りで回転させることができれば、如何なる形状であっても良い。また、ホース係止部２ｂを逆Ｌ字状に形成したが、ホース係止部２ｂの形状及び構造も逆Ｌ字状に限定されるものではなく、ホース３の一部を係止できる形状及び構造であれば、如何なる形状及び構造であっても良い。また、受け具４を厚肉の円盤状に形成したが、受け具４を板状に形成し、板状の部材に棒材２の下端部２ｃが嵌り込む受け部４ａを形成するようにしても良い。
【符号の説明】
【００７７】
１  ホース巻取り具
２  棒材
２ａ１  操作軸
２ａ２  上側の柄
２ａ３  下側の柄
２ａ４  柄
２ｂ    ホース係止部
２ｃ    棒材の下端部
３      ホース
４      受け具
４ａ    受け部
φ      軸心
【図１】
0003231295.tif 000003
【図２】
0003231295.tif 000004
【図３】
0003231295.tif 000005
【図４】
0003231295.tif 000006
【図５】
0003231295.tif 000007
【図６】
0003231295.tif 000008
【図７】
0003231295.tif 000009
【図８】
0003231295.tif 000010
【図９】
0003231295.tif 000011
【図１０】
0003231295.tif 000012
【図１１】
0003231295.tif 000013
【図１２】
0003231295.tif 000014
【図１３】
0003231295.tif 000015
【図１４】
0003231295.tif 000016
【図１５】
0003231295.tif 000017
【図１６】
0003231295.tif 000018